(57)【要約】【課題】  ボタン型電池を機器の内部から簡単且つ確実に取り出すことのできるボタン型電池内蔵機器を提供すること。【解決手段】  可撓性配線部材１２の一端部１４は筐体６内に内蔵された回路基板７ａに実装されたコネクタ９に抜き差し自在に差し込まれ、他端部は可撓性配線部材１２と電気的に接続する配線が形成されたボタン型電池支持板１３に接続され、ボタン型電池支持板１３の一端部１６は筐体６に開口されたボタン型電池取出口５に臨んで位置され、ボタン型電池１８はボタン型電池支持板１３上に搭載され、ボタン型電池１８の電極１８ａは導電性の接合剤でボタン型電池支持板１３の配線に接合されている。【選択図】        図１
2005038735.tif 000002
【特許請求の範囲】
【請求項１】
回路基板と、可撓性配線部材を介して前記回路基板と電気的に接続されるボタン型電池とが筐体内に内蔵されたボタン型電池内蔵機器であって、
前記可撓性配線部材の一端部は、前記回路基板に実装されたコネクタに抜き差し自在に差し込まれ、他端部は前記可撓性配線部材と電気的に接続する配線が形成されたボタン型電池支持板に接続され、
前記ボタン型電池支持板の一端部は、前記筐体に開口されたボタン型電池取出口に臨んで位置され、
前記ボタン型電池は前記ボタン型電池支持板上に搭載され、前記ボタン型電池の電極は導電性の接合剤で前記ボタン型電池支持板の前記配線に接合されている
ことを特徴とするボタン型電池内蔵機器。
【請求項２】
前記ボタン型電池支持板は可撓性を有しない
ことを特徴とする請求項１に記載のボタン型電池内蔵機器。
【請求項３】
前記ボタン型電池取出口を剥離可能な接着シートで塞ぐと共に、前記接着シートに前記ボタン型電池支持板の前記一端部を接着させた
ことを特徴とする請求項１に記載のボタン型電池内蔵機器。
【発明の詳細な説明】
【技術分野】
【０００１】
本発明はボタン型電池内蔵機器に関し、特に、機器の動作電源からの充電を受け、機器の使用期間において交換の必要のないボタン型電池を内蔵し、機器を廃棄時する際にはそのボタン型電池を簡単に機器から取り出せるようにしたボタン型電池内蔵機器に関する。
【背景技術】
【０００２】
例えばビデオカメラなどの機器には、この機器の動作電源となる電池の他にも、カレンダーや時計機能などのための各種データのバックアップ用にボタン型電池が備えられている。このバックアップ用のボタン型電池として一般に広く一次電池が用いられている。しかし、一次電池は例えば一年程で交換が必要であり、交換の度に時計などの再設定操作が必要となり面倒である。
【０００３】
このため、近年では、一次電池に代えて、機器の動作電源となる電池などからの充電を受け交換を不要とした二次電池がバックアップ用のボタン型電池として採用されるようになってきている。
【０００４】
ところで、ボタン型電池は、その廃棄に際しては環境保護あるいはリサイクルの観点から取り扱いに注意しなければならない。すなわち、機器から取り外して販売店や製造メーカーのサービスセンターなどのボタン型電池を回収してくれる所に持って行って適切に処置をしてもらう必要がある。
【０００５】
しかし、二次電池は交換を不要としたために、機器に内蔵されている回路基板に直接はんだ付けで実装されて機器に組み込まれているので、機器を分解したり、一般家庭にはない特殊な工具（はんだごてなど）を必要としたり、使用者がボタン型電池を機器から取り外すのは困難である。
【０００６】
そこで、特許文献１には、ボタン型電池をフレキシブルケーブル及びコネクタを介して機器内の回路と接続させ、機器を廃棄する際には、機器から電池蓋を取り外してフレキシブルケーブルをコネクタから抜くことでボタン型電池を機器から容易に取り外せるようにしたことが開示されている。
【特許文献１】特開平９−１６３１９９号公報
【発明の開示】
【発明が解決しようとする課題】
【０００７】
上記特許文献１では、フレキシブルケーブルにおいて、コネクタに差し込まれる端部の反対側の端部には、一対の弾性板からなる端子板が実装され、ボタン型電池はそれら端子板で挟み込まれてフレキシケーブルに保持されると共に電気的に接続されている。
【０００８】
このように端子板でボタン型電池を挟み込んだだけの保持構造では、特に小型のボタン型電池では安定して保持しにくいため、フレキシケーブルを引き抜く際に端子板からボタン型電池が外れ、機器の奥の方へと入り込んでしまい取り出せなくなるおそれがある。
【０００９】
本発明は上述の問題に鑑みてなされ、その目的とするところは、ボタン型電池を機器の内部から簡単且つ確実に取り出すことのできるボタン型電池内蔵機器を提供することにある。
【課題を解決するための手段】
【００１０】
以上の課題を解決するにあたり、本発明のボタン型電池内蔵機器では、可撓性配線部材の一端部は筐体内に内蔵された回路基板に実装されたコネクタに抜き差し自在に差し込まれ、他端部は可撓性配線部材と電気的に接続する配線が形成されたボタン型電池支持板に接続され、このボタン型電池支持板の一端部は筐体に開口されたボタン型電池取出口に臨んで位置され、ボタン型電池はボタン型電池支持板上に搭載されて筐体内に内蔵され、そのボタン型電池の電極は導電性の接合剤でボタン型電池支持板の配線に接合されていることを特徴としている。
【００１１】
ボタン型電池取出口に臨んで位置されているボタン型電池支持板の一端部を指などでつまんでボタン型電池取出口の外に引き出すと、ボタン型電池支持板に搭載されたボタン型電池もボタン型電池支持板と共にボタン型電池取出口の外に引き出される。ボタン型電池支持板に接続されている可撓性配線部材は筐体内部で折り畳まれるように収められているが、ボタン型電池支持板がボタン型電池取出口の外に引き出されることで、その引き出し方向に可撓性配線部材は引っ張られて伸ばされ、コネクタに差し込まれている一端部に引っ張り張力が作用してコネクタから抜ける。これにより、ボタン型電池は機器から分離されて、機器とは別に分けて処分することができる。
【００１２】
ボタン型電池はその電極が導電性の接合剤でボタン型電池支持板の配線に接合されることで、ボタン型電池支持板に固定され、且つ、ボタン型電池支持板の配線、可撓性配線部材及びコネクタを介して回路基板と電気的に接続される。このようなボタン型電池の保持構造は端子板で挟み込んだだけの保持構造に比べ、特に小型のボタン型電池であっても安定して保持することができ、ボタン型電池支持板及び可撓性配線部材を引き抜くときにボタン型電池がボタン型電池支持板から外れて機器の内部に入り込んでしまうのを防げる。
【００１３】
可撓性配線部材が可撓性を有していることによって、コネクタへの差込部分からボタン型電池取出口へと至る経路が曲がっている場合でも円滑にコネクタから引き抜くことができる。可撓性配線部材としては、フレキシブル配線板、フレキシブルケーブルなどが挙げられる。
【００１４】
ボタン型電池支持板は、可撓性を有していても構わないが、ボタン型電池の電極とボタン型電池支持板の配線との接合を安定して維持するためには可撓性を有していない方が好ましい。ここで、可撓性を有しないとは、完全な剛体である必要はなくボタン型電池に無理な応力を作用させるような撓みや曲げが生じない硬さや剛性を有していればよい。例えば、ガラス布などの補強材を樹脂に含浸させて得られる配線基板や、フレキシブル配線板の裏面に金属板あるいは硬さのある樹脂板を貼り付けた構成などが挙げられる。
【００１５】
接合剤としては、はんだや、銀粉などの金属微粒子をペースト状の樹脂中に混合させた導電性接着剤などが挙げられる。
【００１６】
また、ボタン型電池取出口を剥離可能な接着シートで塞ぐと共に、この接着シートに、ボタン型電池取出口に臨んで位置されるボタン型電池支持板の一端部を接着させれば、接着シートによって取出口内への異物の入り込みを防げると共に、接着シートを剥がせばそのまま接着シートに貼り付けられてボタン型電池支持板も接着シートと共にボタン型電池取出口の外に引き上げることができ、ボタン型電池取出口が小さく指を入れてボタン型電池支持板の一端部をつまみ出すのが困難な場合でもボタン型電池支持板の取り出しを何ら道具を用いずに接着シートの剥離と合わせて簡単に行える。
【発明の効果】
【００１７】
本発明によれば、回路基板のコネクタに一端部が差し込まれた可撓性配線部材に接続されたボタン型電池支持板上にボタン型電池が搭載され、その電極は導電性の接合剤でボタン型電池支持板の配線に接合されているので、特に小型のボタン型電池であってもボタン型電池支持板に安定して保持することができ、ボタン型電池支持板を引っ張って可撓性配線部材をコネクタから抜く際に、ボタン型電池がボタン型電池支持板から外れてしまうことを防げる。これにより、特別な工具や技能を要せずとも、ボタン型電池をボタン型電池支持板と共に確実に筐体内部から取り出すことができ、ボタン型電池の回収効率の向上が図れる。
【発明を実施するための最良の形態】
【００１８】
［第１の実施形態］
（ボタン型電池内蔵機器の構成）
図８は本実施形態に係るボタン型電池内蔵機器１の概略図を示す。本実施形態では、ボタン型電池内蔵機器１の一例としてビデオカメラを示す。
【００１９】
ボタン型電池内蔵機器（以下、単に機器とも呼ぶ）１は、主として、本体部２と光学レンズ３と液晶表示部（本体部２の図示されている一方の側面４の反対側面に取り付けられる）から構成される。また、本体部２の一方の側面４には、ボタン型電池取出口（以下、単に取出口とも呼ぶ）５が形成されている。この取出口５の内方に後述するボタン型電池が内蔵されている。
【００２０】
図１は本体部２の内部を示す。本体部２の筐体６の中には複数（図示では２個）の回路基板７ａ、７ｂが収められ、筐体６に対してビス止めなどで固定される。回路基板７ａ、７ｂは、搭載される部品の重さに耐え、筐体６に固定できる硬さと強度を持ったリジッドなプリント配線基板上に電子部品８やコネクタ９などの各種部品が実装されてなる。互いの回路基板７ａ、７ｂ間は、図示しないケーブルあるいはフレキシブル配線板で電気的に接続されている。
【００２１】
図７はコネクタ９の断面図を示す。コネクタ９は、後述する可撓性配線部材のエッジ端子の抜き差しを容易に行える例えばLIF（Low Insertion Force）タイプまたはNON-ZIF（Zero Insertion Force）タイプのコネクタである。
【００２２】
コネクタ９は、取出口５に近い側に配設された回路基板７ａに実装されている。さらに具体的には、その回路基板７ａにおいて、取出口５の下方に位置する縁部に実装され、差込口１０を回路基板７ａの面に対して水平に（横向きに）且つ回路基板７ａの外側へと向けている。差込口１０には後述する可撓性配線基板のエッジ端子が差し込まれ、そのエッジ端子は差込口１０内の端子１１に圧接する。コネクタ９の端子１１の後端部は回路基板７ａ上に形成された配線にはんだ付けされている。
【００２３】
図４は可撓性配線部材１２及びボタン型電池支持板（以下、単に支持板とも呼ぶ）１３の平面図を示す。
【００２４】
可撓性配線部材１２は、例えばポリイミド、ポリエステルなどの可撓性がある絶縁フィルム上に銅箔などの金属箔で導体パターンを形成してなる。可撓性配線部材１２の一端部の表面には端子１５が露出して形成され、裏面には樹脂製（あるいは金属製でもよい）の補強板が貼り付けられ、上記コネクタ９への抜き差しに際して撓んだり折れ曲がったりすることのないようされた硬さと強度を持ったエッジ端子１４として構成されている。
【００２５】
可撓性配線部材１２の他端部は支持板１３に接続されている。例えば、支持板１３はガラス布などの補強材に樹脂を含浸させて得られるリジッドなプリント配線板であり、この支持板１３の内層に可撓性配線部材１２の他端部を挟んだ構造となっている。あるいは、可撓性配線板１２と支持板１３とを一体的なフレキシブル配線板として、支持板１３に相当する部分の裏面に樹脂製あるいは金属製の補強板を貼り付けた構造としてもよい。
【００２６】
支持板１３の一端部（可撓性配線部材１２と接続された端部の反対側の端部）１６は、支持板１３の他の部分より幅広とされ、その一端部１６と他の部分との間に段が形成されている。
【００２７】
支持板１３の一端部１６寄りの部分には、支持板１３の表面に露出してランド１７が形成され、そのランド１７は支持板１３上に形成された配線（図示せず）を通じて可撓性配線部材１２に形成された配線（図示せず）に接続され、この可撓性配線部材１２の配線はエッジ端子１４の端子１５に接続されている。したがって、支持板１３のランド１７とエッジ端子１４の端子１５とは電気的に接続されている。ランド１７と端子１５間を接続する配線は絶縁性のカバーフィルムで覆われて外部に露出していない。
【００２８】
図５は支持板１３上にボタン型電池１８が搭載された状態を示す。ボタン型電池１８の電極１８ａはランド１７上に位置決めされ、ランド１７と電極１８ａとは例えばはんだにて金属接合されて電気的に接続される。ボタン型電池１８の円形状の本体１８ｂの裏面は絶縁性の両面接着テープあるいはボンディングペーストにて支持板１３上に固定される。
【００２９】
以上のように構成されるボタン型電池１８は上記支持板１３に搭載された状態で、支持板１３及び可撓性配線部材１２と共に、図１、図３に示すようにして筐体６内に内蔵される。
【００３０】
コネクタ９の差込口１０には可撓性配線部材１２のエッジ端子１４が差し込まれてエッジ端子１４は差込口１０内の相対向する端子１１間に狭圧される。可撓性配線部材１２は、エッジ端子１４とコネクタ９との接続部を起点に下方へと垂下され、可撓性配線部材１２に接続されている支持板１３は上方の取出口５側へと折り返される。
【００３１】
支持板１３の一端部１６は取出口５の位置まで引き上げられ、図６に示すように、その両端部１６ａが取出口５につながって形成された凹所１９に嵌まり込む。これにより、支持板１３の一端部１６は凹所１９に支えられて筐体６内部への落下止めがなされ、図１、６に示す、取出口５に臨む位置でもって保持される。
【００３２】
以上のようにして、可撓性配線部材１２のエッジ端子１４はコネクタ９に差し込まれ、支持板１３の一端部１６は取出口５に臨む位置で保持され、可撓性配線部材１２と支持板１３との境界付近はＵ字を形成するようにして湾曲した状態で可撓性配線部材１２及びこれと一体的に接続する支持板１３は筐体６内に内蔵される。
【００３３】
支持板１３の表面に搭載されたボタン型電池１８は、相対向する支持板１３の表面と、可撓性配線部材１２の表面との間に位置される。ボタン型電池１８はその円形状の本体１８ｂの表面が可撓性配線部材１２の表面に対向する縦にされた姿勢となっている。
【００３４】
図３に示すように、回路基板７ａ、７ｂにおいてコネクタ９の差込口１０の前方（図において左方）部分は切り欠かれており、この切欠き２０ａ、２０ｂによって形成される空間に、可撓性配線部材１２、支持板１３及びボタン型電池１８が位置される。これによって、筐体内部の限られたスペースを有効に利用することができる。
【００３５】
また、エッジ端子１４から支持板１３の一端部１６にかけて可撓性配線部材１２及び支持板１３はねじられておらず、図１に示すように、コネクタ９の差込口１０は、ボタン型電池１８の搭載された支持板１３の表面に対向している。更に、コネクタ９とエッジ端子１４との接続部は取出口５の下方に位置している。これらのことによって、後述するように、支持板１３の一端部１６を取出口５の上方へと引き上げることによって、支持板１３、ボタン型電池１８及び可撓性配線部材１２に無理な力をかけることなく簡単にコネクタ９の差込口１０からエッジ端子１４を抜くことができる。
【００３６】
図８に示すように、ボタン電池内蔵機器１の一方の側面４には、凹部４ａが形成され、取出口５はその凹部４ａの底面に開口して形成されている。凹部４ａには、電源電池２１が嵌め込まれて取出口５は塞がれる。更に、電源電池２１を覆うようにしてカバー２２が取り付けられる。
【００３７】
電源電池２１は、この機器１の動作電源として機能する。ボタン型電池１８は、この機器１が電源電池２１からの電源の供給を受けない状態（電源スイッチをオフにしたり、電源電池２１が切れたりしたときなど）であっても、日付や時刻、その他設定したあるいは記録された各種データを保持するバックアップ用の電池として機能する。更に、ボタン型電池１８は電源電池２１から充電を受けることによって、機器１の使用期間中における交換が不要となる。
【００３８】
ボタン型電池１８からの電力は、支持板１３、可撓性配線部材１２及びコネクタ９を介して回路基板１７ａ、１７ｂに供給される。充電時には、ボタン型電池１８は、回路基板１７ａ、１７ｂ、コネクタ９、可撓性配線部材１２及び支持板１３を介して電源電池２１からの電力を受ける。
【００３９】
（ボタン型電池の取り出し方）
機器１を廃棄する際には、以下の手順にて機器１からボタン型電池１８を取り出す。
【００４０】
先ず、図８に示すカバー２２を取り外す。具体的には、ロック解除レバー２３を押すあるいはスライドさせるなどして、カバー２２に係合していたロック部材（図示省略）をカバー２２との係合解除位置に動作させる。これにより、ドライバーなどの工具を使わずともカバー２２を簡単に取り外すことができる。
【００４１】
カバー２２が取り外されると、次は電源電池２１を取り外す。電源電池２１は凹部４ａに嵌まっているだけであるので手で簡単に取り外すことができる。電源電池２１が取り外されることで、取出口５が露出する。
【００４２】
そして、図６に示すように、取出口５内の凹所１９に支持され取出口５に露出している支持板１３の一端部１６を指で（あるいはペン先やつま楊枝などの先の細いもので）つまみ出し引き上げる。
【００４３】
取出口５はボタン型電池１８の厚さよりも広い開口面積を有し、したがって、支持板１３の一端部１６を引き上げることによって、縦にされたボタン型電池１８を取出口５の外に引き出すことができる。
【００４４】
支持板１３の一端部１６の引き上げを続けていくと、図２に示すように、支持板１３、ボタン型電池１８、及び可撓性配線部材１２の大部分が取出口５の外に出される。更に引き上げることでその引き上げ方向にエッジ端子１４が引っ張られて、エッジ端子１４がコネクタ９から抜ける。
【００４５】
コネクタ９の端子保持力は人が簡単に引っ張って抜くことの力（例えば０．７Ｎ）であり、したがって、０．７Ｎ以上の力でエッジ端子１４が引っ張られればコネクタ９から抜ける。支持板１３を取出口５の真上方向にそのまま引っ張ってもエッジ端子１４をコネクタから抜くことはできるが、支持板１３と可撓性配線板１２とを一直線状にすることのできる斜め方向に傾けながら引っ張ればさらに抜け易くできる。
【００４６】
以上述べたように、工具を用いることなく且つ特別な技能を必要とせずにボタン型電池１８を機器１から取り外すことができ、ボタン型電池１８が機器１に内蔵されたまま廃棄されることによるボタン型電池１８を原因とする環境汚染を防げ、またボタン型電池１８のリサイクルも行える。
【００４７】
そして、本実施形態では、ボタン型電池１８はその電極１８ａを支持板１３のランド１７にはんだ付けされることで接合され、且つボタン型電池１８の本体１８ｂは両面接着テープなどで支持板１３に接着されている。このようにボタン型電池１８は支持板１３に対してしっかりと固定されているので、支持板１３を引き上げる際にボタン型電池１８が支持板１３から外れてしまうことがなく、確実にボタン型電池１８を筐体６の外に取り出せる。特に、上記特許文献１に示される端子板による挟み込みでは不安定な保持となってしまうような小型の（例えばコインよりも小さな）ボタン型電池であっても安定して支持板１３に保持することができる。
【００４８】
また、本実施形態では、支持板１３の裏面に補強板を貼り付けて支持板１３に撓みや曲げが生じないように硬さや剛性をもたせているので、支持板１３の撓みや曲げに起因するはんだ接合部の破損やボタン型電池１８の支持板１３からの剥離を確実に防ぐことができる。
【００４９】
更に、本実施形態では、ボタン型電池１８の支持板１３に対する保持及び電気的接触のために上記特許文献１のように端子板を用いないので、その端子板がない分、機器１内への内蔵のためのスペースを小さくでき、機器１の小型化の妨げにならない。
【００５０】
［第２の実施形態］
次に本発明の第２の実施形態について説明する。なお、上記第１の実施形態と同じ構成部分には同一の符号を付しその詳細な説明は省略する。
【００５１】
図９は本実施形態に係るボタン型電池内蔵機器３０の本体部２の内部を示す。本実施形態が上記第１の実施形態と異なるのは、取出口５が接着シート２５で塞がれ、この接着シート２５の接着面に支持板１３の一端部１６が接着されている点である。
【００５２】
機器３０の側面４には上記第１の実施形態と同様、電源電池２１が収められる凹部４ａが形成されているが、本実施形態ではその凹部４ａにおいて取出口５の周囲部分に接着シート貼付面２４が凹部４ａの底面よりわずかにくぼんだ面として形成されている。
【００５３】
そして、取出口５を塞ぐようにして、例えばポリエチレンからなる接着シート２５が接着シート貼付面２４に貼り付けられる。接着シート２５の表面は凹部４ａの底面とほぼ面一とされる。
【００５４】
また、取出口５に臨む位置に保持されている支持板１３の一端部１６の上面は接着シート２５の接着面に接着されている。
【００５５】
本実施形態においても、機器３０を廃棄する際には、先ず、図８に示すカバー２２を取り外す。カバー２２が取り外されると、次は電源電池２１を取り外す。電源電池２１が取り外されることで、接着シート２５が露出する。
【００５６】
そして、接着シート２５を剥がすと、取出口５が露出されると共に、接着シート２５にその一端部１６が接着されている支持板１３が接着シート２５と共に取出口５から引き出される。そして、図１０に示すように、支持板１３、ボタン型電池１８、及び可撓性配線部材１２が取出口５の外に引き出され、その引き上げ方向にエッジ端子１４が引っ張られて、エッジ端子１４がコネクタ９から抜ける。
【００５７】
このように本実施形態によれば、取出口５を塞ぐ接着シート２５を剥がすだけで、工具を用いることなく且つ特別な技能を必要とせずに簡単にボタン型電池１８を機器３０から取り外すことができる。特に、取出口５が小さくて指を入れて支持板１３の一端部１６をつまみ出すのが困難な場合に有効となる。
【００５８】
なお、支持板１３の一端部１６を接着シート２５に接着させなくても、接着シート２５で取出口５を塞ぐだけでも、消耗した電源電池２１を充電するために凹部４ａから取り外したり、あるいは充電が完了した電源電池２１を凹部４ａにセットしたりする作業時に、取出口５からほこりや水分などの異物が入ってしまうことを防げる。
【００５９】
以上、本発明の各実施形態について説明したが、勿論、本発明はこれらに限定されることなく、本発明の技術的思想に基づいて種々の変形が可能である。
【００６０】
コネクタ９はその差込口１０を上に向けて回路基板７ａ上に実装させても、支持板１３の一端部１６を引っ張ってのエッジ端子１４のコネクタ９からの引き抜きを行える。あるいは、回路基板７ａの下に位置する回路基板７ｂの（取出口５の下方に位置する）縁部にコネクタ９を実装させてもよい。この場合には、回路基板７ｂにおけるコネクタ９実装箇所の上方位置に相当する回路基板７ａの部分に切欠きを形成するなどすれば、回路基板７ａに妨げられることなく円滑な引き抜きを行える。
【００６１】
また、支持板１３の一端部１６を、取出口５に臨む位置に保持させる形態としては、支持板１３の一端部１６を容易に取出口５から引き出せるように保持させることができれば上記実施形態に示したものに限らず、例えばフック状部材を介して支持板１３の一端部１６を取出口５に臨む位置に引っ掛けるような保持形態であってもよい。
【００６２】
本発明はビデオカメラ以外にも、例えば、デジタルスチルカメラ、携帯電話機、ＰＤＡ（Personal Digital Assistant）、その他ボタン型電池を内蔵した全ての機器に適用可能である。
【図面の簡単な説明】
【００６３】
【図１】本発明の第１の実施形態に係るボタン型電池内蔵機器の内部を示す断面図である。
【図２】図１の状態からのボタン型電池の取り出し方を説明する図である。
【図３】図１における要部の拡大斜視図である。
【図４】ボタン型電池支持板及び可撓性配線部材の平面図である。
【図５】図３に示すボタン型電池支持板上にボタン型電池が搭載された平面図である。
【図６】ボタン型電池取出口の斜視図である。
【図７】可撓性配線部材の一端部が差し込まれるコネクタの断面図である。
【図８】本発明の実施形態に係るボタン型電池内蔵機器の一部分解斜視図である。
【図９】本発明の第２の実施形態に係るボタン型電池内蔵機器の内部を示す断面図である。
【図１０】図９の状態からのボタン型電池の取り出し方を説明する図である。
【符号の説明】
【００６４】
１…ボタン型電池内蔵機器、２…本体部、５…ボタン型電池取出口、６…筐体、７ａ，７ｂ…回路基板、９…コネクタ、１２…可撓性配線部材、１３…ボタン型電池支持板、１４…エッジ端子、１８…ボタン型電池、２１…電源電池、２５…接着シート、３０…ボタン型電池内蔵機器。
【図１】
2005038735.tif 000003
【図２】
2005038735.tif 000004
【図３】
2005038735.tif 000005
【図４】
2005038735.tif 000006
【図５】
2005038735.tif 000007
【図６】
2005038735.tif 000008
【図７】
2005038735.tif 000009
【図８】
2005038735.tif 000010
【図９】
2005038735.tif 000011
【図１０】
2005038735.tif 000012